(57)【特許請求の範囲】
【請求項１】
一枚のブランクシートから一体的に打ち抜かれた箱体形成片から成り、筒体に組み立てられた第一乃至第四の側面と、
前記第一乃至第四の側面の一つに折罫線で区切られて設けられているとともに、前記筒体の上方の開口端部を閉鎖する上蓋片と、
前記第一乃至第四の側面の連接方向の端部に位置する前記第一の側面に連接して設けられているとともに、連接方向の反対側に位置する前記第四の側面の裏面に糊付けされる糊付片と、
前記糊付片に破断線を介して連続して前記筒体の内側に入れられる仕切部材が設けられ、前記仕切部材は、前記筒体の挿通方向に交差して設けられ収容物を保持する内底片と、前記内底片に連続する立上片と、前記立上片に連続し前記上蓋片の裏面に重ねて取り付けられる取付片が設けられ、
前記取付片は、前記立上片とは折罫線で区切られ、前記取付片は、前記立上片との間の折罫線が、前記上蓋片が設けられた前記第四の側面と前記上蓋片との間の折罫線に対して略平行に離間する位置に取り付けられ、
前記上蓋片を、前記上蓋片が設けられた前記第四の側面との間の折罫線で逆方向に折り曲げて開封すると、前記仕切部材が上昇する方向に力が働き、前記糊付片の前記破断線が切断されて前記仕切部材が摺動可能になり、前記仕切部材が前記収容物を保持した状態で上昇し、前記立上片の前記取付片に連続する部分が前記上蓋片の動きに追従して前記収容物から離れる方向へ折り曲げられ、前記収容物の上端部が前記立上片から離れた状態で、前記筒体の上方の開口端部から突出することを特徴とする包装用箱。
【請求項２】
前記立上片と前記取付片の間には、連結片が一対の折罫線で区切られて設けられ、前記立上片と前記連結片を区切る折罫線は、前記収容物の上端部よりも前記内底片に近い位置に、前記収容物の取り出し方向に交差する方向に設けられ、前記上蓋片を開くと、前記立上片は前記収容物に沿った状態で上昇し、前記連結片は前記上蓋片の横方向への動きに追従して前記折罫線で前記収容物から離れる方向へ折り曲げられる請求項１記載の包装用箱。
【請求項３】
前記仕切部材の前記内底片は、前記包装用箱の底部より小さく形成され、前記立上片は前記上蓋片が設けられた前記第四の側面に対して略平行に離間してセットされ、前記立上片には、前記上蓋片が設けられた前記第四の側面から一定距離に離して摺動可能に位置決めするガイド片が設けられている請求項１記載の包装用箱。
【請求項４】
前記仕切部材の前記内底片は、一対の内底形成片が互いに糊付けされて形成される請求項１記載の包装用箱。
【発明の詳細な説明】
【技術分野】
【０００１】
この発明は、上蓋片が一体に設けられた外箱の内側に、上蓋片を開くことにより連動する仕切部材が設けられ、収容物の取り出しを容易にした包装用箱に関する。
【背景技術】
【０００２】
包装用箱から収容物を取り出す場合、包装用箱の上面に設けられた上蓋片を開けて取り出す際に収容物がつかみにくく取り出しにくい場合がある。そこで、収容物を取り出し易くするために従来からいろいろな工夫がされている。
【０００３】
例えば、特許文献１に開示されているケースは、紙状物質から成る箱体と、これを被蓋する外蓋とを開閉自在に一体に形成したものであり、箱体の端部を折り返して形成した開閉自在の内蓋と先端に折り曲げ部を形成した昇降自在の内底とを有し、かつ内底の延長端部を外蓋の内面に接着したものである。このケースは、外蓋を開けると自動的に内底が傾斜して持ち上がり、収容物の取り出しが容易となるものである。
【０００４】
また、特許文献２に開示されている包装箱は、後壁の上端に蓋を開閉自在に連接した箱本体を形成し、蓋の開閉に連動して後部が昇降する中底板が設けられている。蓋の裏側と中底板は帯材を介して連結され、帯材の下端を中底板の後端よりも前側に位置させている。この包装箱は、蓋を開くと、帯材により中底板の後端が引き上げられて上昇し、収容物の取り出しが容易となる。
【０００５】
また、特許文献３に開示されている包装容器は、直方体の包装容器であり、身部と、片開きの蓋部と、前記身部内部に収容され物品収容トレイを保持するとともに蓋部と連動して動く内部可動部が設けられている。この包装容器は、蓋部を開くと、内部可動部とともに物品収容トレイが上方に移動し、収容物の取り出しが容易となる。
【先行技術文献】
【特許文献】
【０００６】
【特許文献１】実開昭５２−１６８７２７号公報
【特許文献２】特開２００７−１６１２８１号公報
【特許文献３】特開２００４−２６８９４６号公報
【発明の概要】
【発明が解決しようとする課題】
【０００７】
上記背景技術の場合、底部または物品収容トレイが上方に移動する点では収容物を取り出しやすくなるが、収容物が底部から持ち上げられるものではなく、取り出すには、収容物と底部との間に指を入れて起き上がらせて取り出さなければならないという問題があった。
【０００８】
この発明は、上記背景技術の問題点に鑑みてなされたものであり、簡単な構造で包装用箱から収容物を簡単に取り出すことができる包装用箱を提供することを目的とする。
【課題を解決するための手段】
【０００９】
本発明は、一枚のブランクシートから一体的に打ち抜かれた箱体形成片から成り、筒体に組み立てられた第一乃至第四の側面と、前記第一乃至第四の側面の一つに折罫線で区切られて設けられているとともに、前記筒体の上方の開口端部を閉鎖する上蓋片と、前記第一乃至第四の側面の連接方向の端部に位置する前記第一の側面に連接して設けられているとともに、連接方向の反対側に位置する前記第四の側面の裏面に糊付けされる糊付片と、前記糊付片に破断線を介して連続して前記筒体の内側に入れられる仕切部材が設けられ、前記仕切部材は、前記筒体の挿通方向に交差して設けられ収容物を保持する内底片と、前記内底片に連続する立上片と、前記立上片に連続し前記上蓋片の裏面に重ねて取り付けられる取付片が設けられ、前記取付片は、前記立上片とは折罫線で区切られ、前記取付片は、前記立上片との間の折罫線が、前記上蓋片が設けられた前記一つの側面と前記上蓋片との間の折罫線に対して略平行に離間する位置に取り付けられている包装用箱である。前記包装用箱は、前記上蓋片を、前記上蓋片が設けられた前記一つの側面との間の折罫線を逆方向に折り曲げて開封すると、前記仕切部材が上昇する方向に力が働き、前記糊付片の前記破断線が切断されて前記仕切部材が摺動可能になり、前記仕切部材が前記収容物を保持した状態で上昇し、前記立上片の前記取付片に連続する部分が前記上蓋片の動きに追従して前記収容物から離れる方向へ折り曲げられ、前記収容物の上端部が前記立上片から離れた状態で、前記筒体の上方の開口端部から突出するものである。
【００１０】
前記立上片と前記取付片の間には、連結片が一対の折罫線で区切られて設けられ、前記立上片と前記連結片を区切る折罫線は、前記収容物の上端部よりも前記内底片に近い位置に、前記収容物の取り出し方向に交差する方向に設けられ、前記上蓋片を開くと、前記立上片は前記収容物に沿った状態で上昇し、前記連結片は前記上蓋片の横方向への動きに追従して前記折罫線で前記収容物から離れる方向へ折り曲げられるものである。
【００１１】
前記仕切部材の前記内底片は、前記包装用箱の底部より小さく形成され、前記立上片は前記上蓋片が設けられた前記一つの側面に対して略平行に離間してセットされ、前記立上片には、前記上蓋片が設けられた前記一つの側面から一定距離に離して摺動可能に位置決めするガイド片が設けられている。
【００１２】
前記仕切部材の前記内底片は、一対の内底形成片が互いに糊付けされて形成されるものである。
【発明の効果】
【００１３】
本発明の包装用箱は、簡単な構造で包装用箱から収容物を簡単に取り出すことができる。特に、上蓋片を開封すると同時に収容物を保持する仕切部材が摺動し、収容物の上端部分が箱体の上方の開口端部から自動的に突出し、収容物の側面を保持して簡単に取り出すことができる。また、開蓋とともに仕切部材が摺動可能な構造を他の側面等と一体的に形成され、組み立て等における取り扱い性も良好なものである。
【図面の簡単な説明】
【００１４】
【図１】この発明の一実施形態の包装用箱の使用状態を示す斜視図である。
【図２】この実施形態の包装用箱の斜視図である。
【図３】この実施形態の包装用箱の展開図である。
【図４】この実施形態の包装用箱の組立工程を示す展開図である。
【図５】この実施形態の包装用箱の組立工程を示す展開図である。
【発明を実施するための形態】
【００１５】
以下、この発明の実施形態について図面に基づいて説明する。図１〜図５はこの発明の一実施形態を示すもので、この実施形態の包装用箱１０は、紙製等の一枚のブランクシートを打ち抜いて形成された箱体形成片１２を組み立てて設けられている。
【００１６】
図３は、箱体形成片１２を表面から見た展開図であり、箱体形成片１２は、第一乃至第四の側面である側面１４，１６，１８，２０が、互いに平行に連接して形成され、各々折罫線２２，２４，２６で区切られている。
【００１７】
側面１４の、側面同士の連接方向に対して直角な方向の両端部には、矩形のフラップ２８が折罫線３０で区切られて各々設けられている。側面１８の、側面同士の連接方向に対して直角な方向の両端部にも、フラップ２８と同形のフラップ３２が折罫線３４で区切られて各々設けられている。フラップ２８，３２の、折罫線３０，３４から端部までの長さは、包装用箱１０の組立状態でフラップ２８，３２を折罫線３０，３４で９０°に正折りしたときに、後述する取付片８０が通過可能な空間ができるように比較的短く形成されている。
【００１８】
側面２０の、側面同士の連接方向に対して直角な方向の一端部には、矩形の上蓋片３６が折罫線３８で区切られて設けられている。上蓋片３６の、折罫線３８と反対側の端部には、さらに差込片４０が折罫線４２で区切られて設けられている。側面２０の、折罫線３８と反対側の端部には、上蓋片３６と同形状の下蓋片４４が折罫線４６で区切られて各々設けられている。下蓋片４４の、折罫線４６と反対側の端部には、さらに差込片４８が折罫線５０で区切られて設けられている。
【００１９】
側面１４の折罫線２２と反対側の側縁部には、包装用箱１０の組立状態で側面２０の裏面に糊付けされる糊付片５２が折罫線５４で区切られて設けられている。糊付片５２は、側面２０とほぼ同じ大きさの矩形であり、側面２０に連接した上蓋片３６側の折罫線３８の延長上に位置する端部５２ａと、折罫線５４に対して平行な側縁部５２ｂとが交わる角部が矩形に切り欠かれ、端部５２ａとは反対側の端部５２ｄ側の約半分は切り残されている。
【００２０】
糊付片５２の端部５２ｄ側に切り残された部分には、破断線５６が設けられている。破断線５６は、端部５２ａ側を矩形に切り欠かれて形成された角部５２ｃから始まり、側縁部５２ｂに対して平行な直線状部分と、その後に形成され側縁部５２ｂに近づく方向に曲がる曲線状部分とが形成されて側縁部５２ｂに達し、次に側縁部５２ｂに沿う直線状部分となり端部５２ｄに達している。糊付片５２の、破断線５６よりも端部５２ａ側の部分は、包装用箱１０を開封するときに切り離される取外部５８となる。なお、角部５２ｃは、Ｖ字状に深く切り欠かれている。
【００２１】
取外部５８の側縁部５２ｂには、後述する収容物１１を保持する仕切部材５９が連接されて設けられている。仕切部材５９には、糊付片５２の側縁部５２ｂに連接する第１ガイド片６０が、折罫線６２で区切られて設けられている。第１ガイド片６０は、包装用箱１０の組立状態で側面１８の裏面に位置するものであり、連接方向の幅は側面１８とほぼ同じである。第１ガイド片６０の上蓋片３６側の端部６０ａは、上蓋片３６側へ突出する台形状に形成され、端部６０ａの一番突出した部分は、隣接する糊付片５２の端部５２ａに達しないものである。第１ガイド片６０の端部６０ａと反対側の端部６０ｂは、糊付片５２の端部５２ｄの延長線上に位置する直線である。
【００２２】
第１ガイド片６０の折罫線６２と反対側の側縁部には、折り返し片６４が折罫線６６で区切られて設けられている。折り返し片６４は、包装用箱１０の組立状態で第１ガイド片６０の裏面に折り返して糊付けされるものであり、連接方向の幅は第１ガイド片６０の半分よりも少し長いものである。折り返し片６４の第１ガイド片６０の端部６０ａに連続する端部６４ａは、折罫線６６から離れるに従い側方に突出する傾斜した直線で形成されている。反対側の端部６４ｂは、第１ガイド片６０の端部６０ｂの延長線上に位置する直線である。端部６４ｂには、第１内底形成片６８が折罫線７０で区切られて設けられている。第１内底形成片６８は矩形であり、折罫線７０から、折罫線７０に対して平行な端部６８ａまでの長さは、下蓋片４４の、折罫線４６に対して平行な長さの１／２より少し長く設定されている。
【００２３】
折り返し片６４の折罫線６６と反対側の側縁部には、矩形の立上片７２が折罫線７４で区切られて設けられている。立上片７２は、包装用箱１０の組立状態で側面２０に対して平行に位置するものであり、連接方向の幅は側面２０とほぼ同じである。立上片７２の、折り返し片６４の端部６４ａに連続する端部には、連結片７６が折罫線７８で区切られて設けられている。連結片７６は、折罫線７８を下底とし反対側の端部を上底とする台形である。連結片７６の高さは、糊付片５２の端部５２ａの延長線上に達し、つまり立上片７２と連結片７６を足した高さは、糊付片５２とほぼ等しく、包装用箱１０の高さにほぼ等しい。立上片７２の、折罫線７８と反対側の端部７２ｂには、他の部材は設けられていない。
【００２４】
連結片７６の折罫線７８と反対側の端部には、取付片８０が折罫線８２で区切られて設けられている。取付片８０は、上蓋片３６よりも小さい矩形であり、包装用箱１０の組立状態で上蓋片３６の、中心付近に糊付けされるものである。
【００２５】
立上片７２の折罫線７４と反対側の端部には、第２ガイド片８４が折罫線８６で区切られて設けられ、第２ガイド片８４は、包装用箱１０の組立状態で側面１４の裏面に位置するものである。第２ガイド片８４の上蓋片３６側の端部８４ａは、上蓋片３６側へ突出する台形状に形成され、端部８４ａの一番突出した部分は、第１ガイド片６０の端部６０ａとほぼ同じ高さに位置している。端部８４ａの立上片７２側の端部は、連結片７６の台形の傾斜した辺の途中から始まっている。連結片７６と第２ガイド片８４の境界は切断線８８で区切られている。折罫線８６の中間付近には、立上片７２側に突出する台形状の切断線９０が設けられている。切断線９０の両端部が折罫線８６に連続し、切断線９０の内側は折罫線８６が途切れている。切断線９０の内側は、包装用箱１０の組立状態で第２ガイド片８４と面一になり立上片７２から突出するガイド突起９２となる。第２ガイド片８４の折罫線８６と反対側の側縁部８４ｃと、ガイド突起９２の先端部９２ａとの間隔は、側面１４の連接方向の幅に等しい。なお、切断線９０の立上片７２側には２本の切込線が連続して設けられ、ガイド突起９２が立上片７２から立ち上がりやすくしている。第２ガイド片８４の、端部８４ａと反対側の端部８４ｂは、立上片７２の端部７２ｂの延長線上に位置する直線である。端部８４ｂには、第２内底形成片９４が折罫線９６で区切られて設けられている。第２内底形成片９４は第１内底形成片６８と同じ大きさの矩形である。
【００２６】
なお、上述の各折罫線には、折り曲げやすくするために、破断線が設けられてもよい。
【００２７】
次に、この実施形態の包装用箱１０の組立方法の一例について説明する。ここでは、図３が包装用箱１０の箱体形成片１２の表面を見たものであり、箱体形成片１２の表面が凸になる折り方を正折り、そして裏面が凸になる折り方を逆折りと称する。
【００２８】
まず、折罫線７４を逆折りし、折り返し片６４の裏面に糊９８を塗布する。糊９８は、折罫線７４に沿う直線状に塗布する。次に折罫線６６を正折りし、折り返し片６４の裏面は糊９８により第１ガイド片６０の裏面に糊付けされる。さらに折罫線６２を正折りし、図４に示す状態となる。図４は、箱体形成片１２を裏面から見たものである。次に折罫線２２を正折りし、図５に示す状態となる。図５は、箱体形成片１２を裏面から見たものである。そして、糊付片５２の表面に糊１００を塗布する。糊１００は、折罫線５４に対して平行な直線状に塗布し、折罫線５４と破断線５６の近傍に２か所塗布する。そして、折罫線２６を正折りし、糊付片５２の表面は糊１００により側面２０の裏面に糊付けされる。これにより箱体形成片１２は折り畳み状態となり、この折り畳んだ状態で出荷される。
【００２９】
次に、収容物１１を収容し包装する工場等において、折罫線２２，２４，２６，５４を各々９０°に正折りして四角形の箱体にする。この時、立上片７２は自動的に引き起こされて、側面１６と側面２０の中間よりも少し側面２０に近い位置に、側面２０に対して平行に位置し、連接する第１ガイド片６０と第２ガイド片８４により、箱体の内側に保持される。第１ガイド片６０は側面１８の裏面に重ねられ、折り返し片６４が接着されて所定位置に立上片７２の折罫線７４側の端部を保持している。第２ガイド片８４は、側面１４の裏面に重ねられ、ガイド突起９２が側面１４と糊付片５２の間の折罫線５４付近に当接して位置決めされ、所定位置に立上片７２の折罫線８６側の端部を保持している。
【００３０】
次に、第２内底形成片９４の、折罫線９６と反対側の端部９４ａ付近に、表面に糊１０２を塗布し、まず折罫線７０で第１内底形成片６８を９０°に正折りし、次に折罫線９６で第２内底形成片９４を９０°に正折りし、第２内底形成片９４の端部９４ａと第１内底形成片６８の端部６８ａを糊付けし、収容物１１を保持する内底片１０４が形成される。そして、下蓋片４４側のフラップ２８，３２を折罫線３０，３４で正折りし、次に下蓋片４４を折罫線４６で９０°に正折りし、さらに折罫線５０で差込片４８を正折りして側面１６の内側に差し込んで閉鎖し、底部１０８の組み立てが完了する。
【００３１】
そして、仕切部材５９の内底片１０４に収容物１１を入れる。ここでは、収容物１１はスティック状又は柱状のものであり、長手方向を内底片１０４に対してほぼ直角にして複数個を並べて入れる。そして、上蓋片３６側のフラップ２８，３２を折罫線３０，３４で正折りする。仕切部材５９の取付片８０は、一対のフラップ２８，３２の間の空間を通過して上方に突出する。次に取付片８０を折罫線８２で９０°に逆折りして取付片８０の裏面に糊１０６を塗布する。その後、折罫線３８で上蓋片３６を９０°に正折りし、さらに折罫線４２を正折りして差込片４０を側面１６の内側に差し込んで閉鎖し、図２に示すように包装が完了する。このとき、取付片８０の裏面は糊１０６により上蓋片３６の裏面に糊付けされる。取付片８０は、上蓋片３６の中央部分であって折罫線４２に近い位置に糊付けされ、取付片８０は、連結片７６との間の折罫線８２が、上蓋片３６の側面２０との間の折罫線３８に対して略平行に離間する位置に取り付けられる。
【００３２】
包装用箱１０から収容物１１を取り出す時は、上蓋片３６を引き上げて折罫線３８を軸として回動させて開封する。すると、上蓋片３６に糊付けされた取付片８０も移動し回動方向に引き上げる力が働く。これにより、糊付片５２に設けられた破断線５６が切断され、取外部５８とともに仕切部材５９が分離され、仕切部材５９は自由に摺動可能となる。さらに上蓋片３６を開くと、取付片８０の折罫線８２の角度が９０°よりも大きくなりながら仕切部材５９全体が収容物１１とともに上昇する。上蓋片３６が側面２０に対して外側に約９０°に開くと、上蓋片３６の横方向への動きに追従して、図１に示すように折罫線８２は折り角度がなくなって平坦となり、折罫線７８が約９０°に逆折りされる。そして収容物１１の上端部分は、包装用箱１０の開口端部から上方に突出し、さらに連結片７６が収容物１１から離れる方向へ折り曲げられるため、収容物１１は周囲に何もない状態で包装用箱１０の開口端部から突出する。この状態で、突出した収容物１１の側面などを手で保持して引き抜き、取り出すことができる。
【００３３】
この実施形態の包装用箱１０によれば、簡単な構造で収容物１１を簡単に取り出すことができる。特に、上蓋片３６を開封すると同時に収容物１１の上端部が開口端部から自動的に突出し、突出した収容物１１の側面などを保持して簡単に引き上げて取り出すことができる。さらに、一枚の箱体形成片１２で仕切部材５９を一体に作ることができ、取り扱い性が良く、生産効率が良い。仕切部材５９は、第１ガイド片６０と第２ガイド片８４により、がたつきが少なく収容されるため、上昇する際に傾いたりすることなく、小さい抵抗で円滑に上昇させることができる。
【００３４】
なお、この発明の包装用箱１０は、上記実施形態に限定されるものではなく、仕切部材の構造は収容物に合わせて適宜変更可能である。箱体の構造は自由に変更可能であり、蓋片の構造も異なるものでもよい。ガイド片の構造は上記以外でもよく、仕切部材が傾かず円滑に上昇するものであれば良い。
【符号の説明】
【００３５】
１０  包装用箱
１１  収容物
１２  箱体形成片
１４，１６，１８，２０  側面
３６  上蓋片
３８，８２，７８  折罫線
５２  糊付片
５６  破断線
５９  仕切部材
６０  第１ガイド片
６４  折り返し片
６８  第１内底形成片
７２  立上片
７６  連結片
８０  取付片
８４  第２ガイド片
９２  ガイド突起
９４  第２内底形成片
１０４  内底片
１０８  底部
【図１】
0006399819.tif 000002
【図２】
0006399819.tif 000003
【図３】
0006399819.tif 000004
【図４】
0006399819.tif 000005
【図５】
0006399819.tif 000006